(57)【特許請求の範囲】
【請求項１】
車両外部の電源から車両へ電力を供給する給電手段と、制御信号を生成して車両へ送信する制御手段とを備えた充電ケーブルの規格適合性を判定する充電制御装置であって、
前記制御信号を検出する制御信号検出手段と、
前記電力を検出する電力検出手段と、
前記充電ケーブルを車両の充電インレットに接続してから、車両側の電力供給ラインのメインスイッチが投入されるまでの間の、前記制御信号検出手段により検出される制御信号と前記電力検出手段により検出される電力とに基づいて、前記充電ケーブルの規格適合性を判定する判定手段と、を備えることを特徴とする充電制御装置。
【請求項２】
請求項１に記載の充電制御装置において、
前記判定手段は、前記制御信号が検出されず、前記電力が検出された場合には、前記充電ケーブルを規格不適合と判定することを特徴とする充電制御装置。
【請求項３】
請求項１に記載の充電制御装置において、
前記判定手段は、前記制御信号が検出され、前記電力が検出された場合には、前記充電ケーブルを規格不適合と判定することを特徴とする充電制御装置。
【請求項４】
請求項１〜３のいずれか一項に記載の充電制御装置において、
前記電力検出手段は、前記充電ケーブルを車両の充電インレットに接続してから所定時間経過後に電力を検出することを特徴とする充電制御装置。
【請求項５】
請求項１〜４のいずれか一項に記載の充電制御装置において、
前記充電ケーブルが規格不適合と判定された場合に、前記充電ケーブルによる充電を禁止又は充電電流を制限する充電制限手段を備えることを特徴とする充電制御装置。
【請求項６】
請求項１〜５のいずれか一項に記載の充電制御装置において、
前記充電ケーブルの前記給電手段は、前記車両外部の電源に接続するための第１コネクタと、前記車両の充電インレットに接続するための第２コネクタと、前記電源からの電力を車両に供給するために前記第１コネクタ及び前記第２コネクタの間に設けられた電力線と、を含み、
前記充電ケーブルの前記制御手段は、前記第１コネクタが前記電源に接続されると制御信号を生成する信号生成部と、前記制御信号を送信するために一端が前記制御部に接続され他端が前記第２コネクタに接続された制御信号線と、を含むことを特徴とする充電制御装置。
【請求項７】
請求項６に記載の充電制御装置において、
前記第２コネクタが前記充電インレットに接続されていない場合は第１レベルの識別信号を出力し、前記第２コネクタが前記充電インレットに接続されている場合は前記第１レベルとは異なる第２レベルの識別信号を出力し、前記第２コネクタを前記充電インレットから離脱するために操作ボタンを押すと前記第１レベル及び前記第２レベルとは異なる第３レベルの識別信号を出力する接続識別手段を備えることを特徴とする充電制御装置。
【請求項８】
車両の充電インレットに接続された充電ケーブルが規格に適合しているか否かを判定したのち充電を制御する方法であって、
前記充電ケーブルが前記充電インレットに接続されてから、前記車両の電力供給ラインのメインスイッチが投入されるまでの間に、前記充電ケーブルから制御信号が送信されたか否か及び前記充電ケーブルから電力が供給されたか否かを検出するステップと、
少なくとも前記制御信号が検出されず且つ前記電力が検出された場合は、前記充電ケーブルを規格不適合と判定するステップと、
前記充電ケーブルが規格不適合と判定された場合は、前記充電ケーブルによる充電を禁止又は充電電流を制限するステップと、を有することを特徴とする充電制御方法。
【発明の詳細な説明】
【技術分野】
【０００１】
本発明は、充電制御装置及び方法に関するものである。
【背景技術】
【０００２】
ハイブリッド車両の駆動用蓄電装置を充電するための制御システムにおいて、パイロット信号ラインを延長する延長信号ラインに抵抗素子を設け、当該延長信号ラインを介して入力される信号レベルの変化に基づいて、実際に充電ケーブルのコネクタが車両の充電インレットから離脱したのか、それとも単に充電ケーブルの離脱ボタンが操作されたのかを識別することが提案されている（特許文献１）。
【先行技術文献】
【特許文献】
【０００３】
【特許文献１】特開２０１０−８１７４０号公報
【発明の概要】
【発明が解決しようとする課題】
【０００４】
ところで、車両用充電システムはＳＡＥ規格（Society of Automotive Engineers Standards）に準拠するものとされているが、上記従来の制御システムでは、充電ケーブルがＳＡＥ規格に適合したものであるか否かを判定することはできない。
【０００５】
本発明が解決しようとする課題は、充電ケーブルがＳＡＥ規格に適合したものであるか否かを判定できる充電制御装置及び方法を提供することである。
【課題を解決するための手段】
【０００６】
本発明は、充電ケーブルを車両の充電インレットに接続してから、車両側の電力供給ラインのメインスイッチが投入されるまでの間の通信信号及び電力信号に基づいて、充電ケーブルの規格適合性を判定することによって、上記課題を解決する。
【発明の効果】
【０００７】
本発明によれば、充電ケーブルを車両の充電インレットに接続してから、車両側の電力供給ラインのメインスイッチが投入されるまでの間は、通信信号は入力されるが電力信号は入力されないのがＳＡＥ規格上、正常とされる。したがって、この間に電力信号が入力されている場合（通信信号も入力されている場合又は通信信号は入力されていない場合）には、少なくともその充電ケーブルは規格不適合の可能性があると判定することができる。
【図面の簡単な説明】
【０００８】
【図１】本発明の一実施の形態を適用した充電システムを示す電気回路図である。
【図２】図１の充電制御装置の充電制御手順を示すフローチャートである。
【図３】図２の充電制御におけるタイミングチャートである。
【図４】図１のノイズ吸収用コンデンサによる残留電圧を示すグラフである。
【発明を実施するための形態】
【０００９】
以下、本発明の一実施の形態に係る充電制御装置を電気自動車の充電システムに適用した例を説明する。図１は充電ケーブルＣＣの第１コネクタＣ１を車両の外部電源ＢＰに接続し、充電ケーブルＣＣの第２コネクタＣ２を電気自動車ＥＶの充電インレットＥ１に接続することで、車載された二次電池からなるバッテリＥ２を充電するシステムの一例を示す。なお、本発明の充電制御装置１が適用される対象は電気自動車ＥＶにのみ限定されず、内燃機関と走行駆動用電動機とを搭載したハイブリッド車にも適用することができる。図示は省略するが、バッテリＥ１は走行駆動用電動機や車載補機に電力を供給する。
【００１０】
充電ケーブルＣＣは、電力線Ｃ３の一端に外部電源ＢＰ、例えば家屋に設けられた商用電源のコンセントと接続するための第１コネクタＣ１が設けられ、他端に電気自動車ＥＶの充電インレットＥ１と接続するための第２コネクタＣ２が設けられている。
【００１１】
また、充電ケーブルＣＣには、制御ユニットＣ４が設けられている。制御ユニットＣ４には、電力線Ｃ３を介して電気自動車ＥＶに給電可能な定格電流に対応するパルス信号を生成する信号生成部Ｃ４１と、漏電防止等を目的とした、電力線Ｃ３を入切するリレースイッチＣ４２とが組み込まれている。そして、信号生成部Ｃ４１は、外部電源ＢＰから供給される電力によって動作するＣＰＵ，ＲＯＭ，ＲＡＭとパルス信号を生成する発振器とを備える。信号生成部Ｃ４１で生成されたパルス信号は、抵抗素子Ｒ１、制御信号線Ｌ１及びインターフェース回路Ｅ１６を介して充電制御装置１の入力ポートＰ２に出力される。
【００１２】
第２コネクタＣ２には、接続判定回路Ｃ２１が組み込まれている。接続判定回路Ｃ２１は、一端が接地線Ｃ５に接続されたスイッチＳＷ１と、当該スイッチＳＷ１と直列に接続された抵抗素子Ｒ２と、当該スイッチＳＷ１と並列に接続された抵抗素子Ｒ３とを備え、この接続判定回路Ｃ２１の出力信号は、充電ケーブルＣＣが充電インレットＥ１に接続されたか否かの接続検出信号として充電制御装置１の入力ポートＰ１に入力される。
【００１３】
また、第２コネクタＣ２には、充電インレットＥ１に挿入された当該第２コネクタＣ２が離脱しないように機械的なロック機構（不図示）が設けられ、当該ロック機構を解除するための操作ボタンＣ２２が設けられている。充電インレットＥ１から充電ケーブルＣＣの第２コネクタＣ２を離脱させる際に、操作者が当該操作ボタンＣ２２を押圧操作することによりロック機構が解除され、これにより第２コネクタＣ２を離脱させることができる。そして、操作ボタンＣ２２とスイッチＳＷ１とが連動するように構成され、操作ボタンＣ２２が押圧操作されると、それに連動して接続判定回路Ｃ２１のスイッチＳＷ１が開成状態（ＯＦＦ）に遷移し、押圧操作が解除されると当該スイッチＳＷ１が閉成状態（ＯＮ）に復帰する。なお、ロック機構と操作ボタンＣ２２とスイッチＳＷ１とは連動して動作するので、充電ケーブルＣＣの第２コネクタＣ２を充電インレットＥ１に嵌合させる際に、操作ボタンＣ２２を押圧操作しなくてもロック機構の嵌合により操作ボタンＣ２２が一瞬の間押圧されスイッチＳＷ１も一瞬の間ＯＦＦすることになる。
【００１４】
充電ケーブルＣＣの第２コネクタＣ２には、電力線Ｃ３と接続された一対の電力端子Ｃ２３，Ｃ２４と、接地線Ｃ５に接続されたグランド端子Ｃ２５と、パルス信号を出力する制御信号線Ｌ１に接続された信号端子Ｃ２６と、接続判定回路Ｃ２１の出力信号線Ｌ２に接続された信号端子Ｃ２７とが設けられている。
【００１５】
充電インレットＥ１には、第２コネクタＣ２に設けられた各端子Ｃ２３〜Ｃ２７と夫々接続する複数の端子Ｅ１１〜Ｅ１５が設けられている。
【００１６】
また、充電インレットＥ１には、充電制御装置１が設けられている。充電制御装置１は制御プログラムが格納されたＲＯＭと、ワーキング領域として用いられるＲＡＭ及び電源オフ時に制御データを退避する不揮発性メモリとを備える。
【００１７】
充電インレットＥ１には、充電制御装置１の周辺回路として、充電インレットＥ１に入力されるパルス信号の信号レベルを検出するとともに、当該信号レベルを二段階に変化させるインターフェース回路Ｅ１６と、接続判定回路Ｃ２１の出力端子と接続された接続状態識別回路Ｅ１７とが設けられている。
【００１８】
インターフェース回路Ｅ１６は、ダイオードＤ１と、当該ダイオードＤ１を介して入力されるパルス信号の信号レベルを低下させる抵抗素子Ｒ５，Ｒ６とスイッチＳＷ２とを備える。スイッチＳＷ２はトランジスタ素子などから構成され、充電制御装置１の出力ポートＰ３からの指令信号により入切する。充電制御装置１は、接続状態判定回路Ｅ１７により、第１コネクタＣ１が外部電源ＢＰに接続され、かつ第２コネクタＣ２が充電インレットＥ１に接続されていると判断された場合に、スイッチＳＷ２を閉成する指令信号を出力ポートＰ３から出力する。
【００１９】
接続状態識別回路Ｅ１７は、接続判定回路Ｃ２１の端子Ｃ２７と接地線Ｃ５と間に接続判定回路Ｃ２１と並列に接続された抵抗素子Ｒ７と、当該並列回路に直列接続され一端が電源Ｅ１８（たとえばＤＣ５Ｖ）に接続された抵抗素子Ｒ８と、抵抗素子Ｒ９とを備えた抵抗分圧回路で構成されている。インターフェース回路Ｅ１６及び接続状態識別回路Ｅ１７の動作については後述する。
【００２０】
充電インレットＥ１に接続された充電ケーブルＣＣの電力線Ｃ３から供給される高圧電力は、コイルＬとコンデンサＣとを有するＬＣフィルタＥ３を介してＡＣ／ＤＣコンバータＥ４により直流電力に変換された後に、高圧の蓄電装置であるバッテリＥ２に給電されるように構成されている。
【００２１】
ＡＣ／ＤＣコンバータＥ５とバッテリＥ２との間の電力線Ｅ８には、充電制御装置１の出力ポートＰ４から出力される指令信号により入切するリレースイッチＥ５と、車両コントローラＥ７からの指令信号（充電制御装置１の入出力ポートＰ５から出力される指令信号に基づく指令信号）により入切するリレースイッチＥ６とが設けられている。リレースイッチＥ５は充電リレースイッチ、リレースイッチＥ６はメインリレースイッチとも称される。
【００２２】
なお、ＡＣ／ＤＣコンバータは、当該ＡＣ／ＤＣコンバータに高圧電力が供給されているか否かの検出信号を充電制御装置１の入力ポートＰ６に出力する。
【００２３】
次に、図２のフローチャート及び図３のタイミングチャートを参照しながら、充電ケーブルＣＣによりバッテリＥ２を充電する際の充電制御装置１の制御手順について説明する。
【００２４】
充電制御装置１が待機状態にある場合に、図３の時間ｔ０において外部電源ＢＰのコンセントに充電ケーブルＣＣの第１コネクタＣ１が接続されたのち、時間ｔ１において充電ケーブルＣＣの第２コネクタＣ２が充電インレットＥ１に装着されたものとする。時間ｔ０において外部電源ＢＰのコンセントに充電ケーブルＣＣの第１コネクタＣ１が接続されると、図１の信号生成部Ｃ４１が通電するので、当該信号生成部Ｃ４１から所定レベル（例えば±１２Ｖ）、所定のデューティサイクル、所定周波数（例えば１ＫＨｚ）のパルス信号が出力される（図３（ａ）のｔ０〜ｔ１のパルス信号のチャート参照）。なお、図３（ａ）は充電制御装置１の入力ポートＰ２に入力されるパルス信号を示し、時間ｔ０〜ｔ１の間においては第２コネクタＣ２と充電インレットＥ１とは未接続であるため、実際には入力ポートＰ２に入力されるパルス信号はゼロであるが、便宜的に信号生成部Ｃ４１から出力されるパルス信号を示している。
【００２５】
この時間ｔ０〜ｔ１では第２コネクタＣ２は充電インレットＥ１に接続されていないため、ＡＣ／ＤＣコンバータＥ４には高圧電力は供給されていない（図３（ｂ）のｔ０〜ｔ１の高圧電力のチャート参照）。また、この時間ｔ０〜ｔ１では第２コネクタＣ２は充電インレットＥ１に接続されていないため、接続状態識別回路Ｅ１７から入力ポートＰ１に入力される識別信号の信号レベルは、電源Ｅ１８，抵抗素子Ｒ７，Ｒ８，Ｒ９で決定されるＨｉレベルとなる（図３（ｅ）の識別信号参照）。したがって、インターフェース回路Ｅ１６のスイッチＳＷ２は開成状態である（図３（ｃ）のｔ０〜ｔ１のスイッチＳＷ２のチャート参照）。同様に、リレースイッチＣ４２，Ｅ５，Ｅ６はいずれも開成状態である（図３（ｄ）のｔ０〜ｔ１のリレースイッチのチャート参照）。
【００２６】
なお、信号生成部Ｃ４１にて生成されるパルス信号のデューティサイクルは、外部電源ＢＰから充電ケーブルＣＣを介して電気自動車ＥＶへ供給可能な電流容量に基づいて設定される値であり、充電ケーブルＣＣ毎に予め設定されている。例えば、電流容量が１２Ａの場合には２０％、電流容量が２４Ａの場合には４０％というふうに設定されている。
【００２７】
図３の時間ｔ１にて第２コネクタＣ２が充電インレットＥ１に接続されると、制御信号線Ｌ２を介して接続判定回路Ｃ２１と接続状態識別回路Ｅ１７とが接続されるので、充電制御装置１の入力ポートＰ１に入力される識別信号の信号レベルは、電源Ｅ１８，抵抗素子Ｒ７，Ｒ８，Ｒ９に、抵抗素子Ｒ２が加わった分圧抵抗回路によりローレベルＬｏに遷移する。充電制御部１は当該Ｌｏレベルの識別信号を検出することで第２コネクタＣ２が充電インレットＥ１に接続されたと判断し、図２のステップＳ１からステップＳ２へ進む。なお、第２コネクタＣ２が充電インレットＥ１に接続される瞬間（時間ｔ１の初期）は、第２コネクタＣ２のロック機構が瞬間的に開閉し、これに連動してスイッチＳＷ１が瞬間的に開成（ＯＦＦ）されるので、入力ポートＰ１に入力される識別信号の信号レベルは、電源Ｅ１８，抵抗素子Ｒ７，Ｒ８，Ｒ９に、抵抗素子Ｒ２，Ｒ３が加わった分圧抵抗回路により瞬間的にミドルレベルＭｄに遷移するが、本例ではこのミドルレベルＭｄへの遷移は無視することとする。以下、時間ｔ１と称する場合の識別信号は、当該初期を除くローレベルＬｏの範囲をいうものとする。
【００２８】
また図３の時間ｔ１において、信号生成部Ｃ４１にて生成されたパルス信号は、制御信号線Ｌ１を介して充電制御装置１の入力ポートＰ２に入力する。このとき、パルス信号は、インターフェース回路Ｅ１６の抵抗素子Ｒ５に応じた所定レベルのパルス信号として入力される。たとえば図３の時間ｔ１〜ｔ２のパルス信号のチャートに示すように＋９Ｖのパルス信号になる。充電制御装置１は入力ポートＰ２に入力される＋９Ｖのパルス信号を検出すると、図２のステップＳ２からステップＳ３へ進み、所定時間Ｘの間隔をおいてステップＳ４へ進む。
【００２９】
図２のステップＳ４において、充電制御装置１は、ＡＣ／ＤＣコンバータＥ４に電力が供給されていないことを検出したらステップＳ５へ進み、出力ポートＰ３からスイッチＳＷ２の閉成指令信号を出力する。
【００３０】
スイッチＳＷ２が閉成状態になると、信号生成部Ｃ４１から制御信号線Ｌ１を介して充電制御部１の入力ポートＰ２に入力していたパルス信号は、抵抗素子Ｒ５，Ｒ６の分圧回路により降圧し、図３の時間ｔ２以降に示すように、例えば＋６Ｖのパルス信号に遷移する。充電制御部１は、このパルス信号の遷移を検出すると、制御ユニットＣ４のリレースイッチＣ４２を閉成する指令信号を制御ユニットＣ４に出力する。これと同時に、リレースイッチＥ５を閉成する指令信号をリレースイッチＥ５に出力し、またリレースイッチＥ６を閉成する指令信号を車両コントローラＥ７へ出力する。これらリレースイッチＣ４２，Ｅ５，Ｅ６の閉成により充電モードに遷移し（図２のステップＳ６）、外部電源ＢＰからの電力が充電ケーブルＣＣの電力線Ｃ３を介してバッテリＥ２に供給される（図３の時間ｔ２〜ｔ３）。
【００３１】
なお、ステップＳ６の充電モードの状態で第２コネクタＣ２の操作ボタンＣ２２が押されると（図２のステップＳ７，図３の時間ｔ３）、ステップＳ８へ進み、接続判定回路Ｃ２１のスイッチＳＷ１が開成状態となる。これにより、充電制御装置１の入力ポートＰ１に入力している識別信号の信号レベルが、Ｌｏレベルから接続判定回路Ｃ２１の抵抗素子Ｒ３のぶんだけ昇圧してＭｄレベルに遷移する。すなわち、入力ポートＰ１に入力される識別信号の信号レベルは、電源Ｅ１８に対し、並列接続された抵抗素子Ｒ７，Ｒ８と、直列接続された抵抗素子Ｒ２，Ｒ３との分圧抵抗回路によりミドルレベルＭｄに遷移する。充電制御装置１は、この入力ポートＰ１に入力される識別信号の電圧レベルの上昇を検出すると、第２コネクタＣ２が充電インレットＥ１から離脱されようとしていると判断し、リレースイッチＣ４２，Ｅ５，Ｅ６を開成状態にする指令信号を出力する。
【００３２】
これにより、外部電源ＢＰから充電ケーブルＣＣの電力線Ｃ３を介して供給される電力が遮断されるので、第２コネクタＣ２を充電インレットＥ１から安全に離脱することができる。第２コネクタＣ２が充電インレットＥ１から離脱されると、入力ポートＰ１に入力する識別信号は元のＨｉレベルに戻る（図３の時間ｔ４〜）。
【００３３】
なお、図２のステップＳ３にて所定時間Ｘの間隔をおいてＡＣ／ＤＣコンバータＥ４の電力を検出するのは、図１のＬＣフィルタＥ３のコンデンサＣに電荷が蓄積されていると、図４に示すように残留電圧の影響によって誤検出するおそれがあるためである。すなわち、ＡＣ／ＤＣコンバータＥ４への電力供給が遮断されてからコンデンサＣの放電に時間Ｘかかるため、時間Ｘの間隔をおいて電力を検出することにより誤検出を防止する。
【００３４】
以上、充電ケーブルＣＣに異常がなくＳＡＥ規格に準拠した仕様とされている場合の充電制御手順を説明した。ところで、充電ケーブルがＳＡＥ規格に適合していない場合には充電を禁止し、或いは充電量を制限することで安全性をより高めたいといった要請がある。このため、充電制御装置１は以下の制御を実行する。
【００３５】
充電ケーブルＣＣがＳＡＥ規格の適合品か否かは、図２のステップＳ１にて充電ケーブルＣＣの第１コネクタＣ１が外部電源ＢＰに接続され、第２コネクタＣ２が充電インレットＥ１に接続されたことを確認したのち、ステップＳ２にて充電制御装置１の入力ポートＰ２に入力されるパルス信号が所定レベル（＋９Ｖ）であり、かつステップＳ４にてＡＣ／ＤＣコンバータＥ４に供給される電力がゼロであることを確認することで行われる。
【００３６】
これに対し、図２のステップＳ２において、充電ケーブルＣＣが外部電源ＢＰと充電インレットＥ１に接続されているにも拘らず充電制御装置１の入力ポートＰ２に所定レベルのパルス信号が入力されていない場合はステップＳ９へ進み、さらにＡＣ／ＤＣコンバータＥ４に供給される電力を検出する。
【００３７】
ステップＳ９にてＡＣ／ＤＣコンバータＥ４に電力が供給されている場合はステップＳ１１へ進み、その充電ケーブルＣＣはＳＡＥ規格に適合しないケーブルであると判定する。すなわち、制御ユニットＣ４が設けられていない電力線Ｃ３のみの充電ケーブルＣＣと判定し、ステップＳ１３へ進んで充電禁止又は充電電流を制限するための指令信号をＡＣ／ＤＣコンバータＥ４へ出力する。
【００３８】
ステップＳ９にてＡＣ／ＤＣコンバータＥ４に電力が供給されていない場合はステップＳ１２へ進み、充電ケーブルＣＣの第１コネクタＣ１が外部電源ＢＰのコンセントから外れているか、或いは制御信号線Ｌ１が断線その他の異常を有するものであると判定する。そして、ステップＳ１３へ進んで充電禁止又は充電電流を制限するための指令信号をＡＣ／ＤＣコンバータＥ４へ出力する。
【００３９】
さらにステップＳ４にて、ステップＳ２のパルス信号は入力されているにも拘らずＡＣ／ＤＣコンバータＥ４に電力が供給されている場合はステップＳ１０へ進み、制御ユニットＣ４が後付けされるなどの改造が施された充電ケーブルＣＣであってＳＡＥ規格に適合しないケーブルであると判定する。あるいは規格適合品であるがリレースイッチＣ４２が溶着故障しているか、充電インレットＥ１のスイッチＳＷ２が故障していると判定する。この場合もステップＳ１３へ進んで充電禁止又は充電電流を制限するための指令信号をＡＣ／ＤＣコンバータＥ４へ出力する。
【００４０】
以上のように、本例の充電制御装置によれば、充電ケーブルＣＣを車両の充電インレットＥ１に接続してから、車両側の電力線Ｅ８のメインスイッチＥ５，Ｅ６が投入されるまでの間の、入力ポートＰ２へのパルス信号とＡＣ／ＤＣコンバータＥ４の電力信号とを検出し、電力信号が入力されている場合であって、パルス信号も入力されている場合又はパルス信号は入力されていない場合には、少なくともその充電ケーブルは規格不適合の可能性があると判定することができる。
【００４１】
また電力信号の検出に際し、図２のステップＳ３のとおり遅延時間Ｘを設けることでＬＣフィルタＥ３などのようにコンデンサＣを有する回路を電力線Ｅ８に設けた場合の残留電圧による誤検出を防止することができる。
【００４２】
上記第１コネクタＣ１，第２コネクタＣ２，電力線Ｃ３及び接地線Ｃ５は本発明に係る給電手段に相当し、上記制御ユニットＣ４は本発明に係る制御手段に相当し、上記充電制御装置１は本発明に係る制御信号検出手段、電力検出手段、判定手段、充電制限手段に相当し、上記接続判定回路Ｃ２１及び接続状態識別回路Ｅ１７は本発明に係る接続識別手段に相当する。
【符号の説明】
【００４３】
ＥＶ…電気自動車（車両）
Ｅ１…充電インレット
Ｅ１１〜Ｅ１５…端子
Ｅ１６…インターフェース回路
Ｅ１７…接続状態識別回路（接続識別手段）
Ｅ１８…電源
Ｅ２…バッテリ
Ｅ３…ＬＣフィルタ
Ｅ４…ＡＣ／ＤＣコンバータ
Ｅ５，Ｅ６…リレースイッチ（メインスイッチ）
Ｅ７…車両コントローラ
Ｅ８…電力線（電力供給ライン）
ＢＰ…外部電源（車両外部の電源）
ＣＣ…充電ケーブル
Ｃ１…第１コネクタ（給電手段）
Ｃ２…第２コネクタ（給電手段）
Ｃ２１…接続判定回路（接続識別手段）
Ｃ２２…操作ボタン
Ｃ２３，Ｃ２４…電力端子
Ｃ２５…グランド端子
Ｃ２６，Ｃ２７…信号端子
Ｃ３…電力線（給電手段）
Ｃ４…制御ユニット（制御手段）
Ｃ４１…信号生成部
Ｃ４２…リレースイッチ
Ｃ５…接地線（給電手段）
Ｒ１〜Ｒ９…抵抗素子
Ｌ１，Ｌ２…制御信号線
Ｐ１，Ｐ２…入力ポート
ＳＷ１，ＳＷ２…スイッチ
Ｄ１…ダイオード
Ｌ…コイル
Ｃ…コンデンサ
１…充電制御装置
【図１】
0005488220.tif 000002
【図２】
0005488220.tif 000003
【図３】
0005488220.tif 000004
【図４】
0005488220.tif 000005